(57)【特許請求の範囲】
【請求項１】
映像信号を複数層に分割して各層毎に輝度レベル制御を行ってスクリーンへの投射画像とするようにした液晶プロジェクタであって、前記複数層の前記スクリーン前面での各輝度レベルを検出する輝度レベル検出手段と、前記複数層のうち予め定められた基準層の、前記輝度レベル検出手段により検出された輝度レベルに、他の層の、前記輝度レベル検出手段により検出された輝度レベルを自動的に調整する輝度レベル制御手段とを含むことを特徴とする液晶プロジェクタ。
【請求項２】
前記輝度レベル制御手段は、前記基準層の前記輝度レベル検出手段による検出結果と前記他の層の前記輝度レベル検出手段による各層の検出結果とを比較して、これら比較結果に従って前記各層の輝度レベル制御をなす手段を有することを特徴とする請求項１記載の液晶プロジェクタ。
【請求項３】
前記基準層の輝度レベルは予め定められた輝度レベルであることを特徴とする請求項１または２記載の液晶プロジェクタ。
【請求項４】
映像信号を複数層に分割して各層毎に輝度レベル制御を行ってスクリーンへの投射画像とするようにした液晶プロジェクタにおける輝度レベル制御方法であって、前記複数層の前記スクリーン前面での各輝度レベルを検出する輝度レベル検出ステップと、前記複数層のうち予め定められた基準層の、前記輝度レベル検出ステップにより検出された輝度レベルに、他の層の、前記輝度レベル検出ステップにより検出された輝度レベルを自動的に調整する輝度レベル制御ステップとを含むことを特徴とする輝度レベル制御方法。
【請求項５】
前記輝度レベル制御ステップは、前記基準層の前記輝度レベル検出ステップによる検出結果と前記他の層の前記輝度レベル検出ステップによる各層の検出結果とを比較して、これら比較結果に従って前記各層の輝度レベル制御をなすステップを有することを特徴とする請求項４記載の輝度レベル制御方法。
【請求項６】
前記基準層の輝度レベルは予め定められた輝度レベルであることを特徴とする請求項４または５記載の輝度レベル制御方法。
【請求項７】
映像信号を複数層に分割して各層毎に輝度レベル制御を行ってスクリーンへの投射画像とするようにした液晶プロジェクタにおける輝度レベル制御方法をコンピュータに実行させるためのプログラムであって、前記複数層の前記スクリーン前面での各輝度レベルを検出する輝度レベル検出処理と、前記複数層のうち予め定められた基準層の、前記輝度レベル検出処理により検出された輝度レベルに、他の層の、前記輝度レベル検出処理により検出された輝度レベルを自動的に調整する輝度レベル制御処理とを含むことを特徴とするプログラム。
【請求項８】
前記輝度レベル制御処理は、前記基準層の前記輝度レベル検出処理による検出結果と前記他の層の前記輝度レベル検出処理による各層の検出結果とを比較して、これら比較結果に従って前記各層の輝度レベル制御をなす処理を有することを特徴とする請求項７記載のプログラム。
【請求項９】
前記基準層の輝度レベルは予め定められた輝度レベルであることを特徴とする請求項７または８記載のプログラム。
【請求項１０】
前記輝度レベル制御手段は、輝度レベル検出対象層以外の層には黒信号を供給することを特徴とする請求項１〜３いずれか記載の液晶プロジェクタ。
【請求項１１】
前記輝度レベル制御ステップは、輝度レベル検出対象層以外の層には黒信号を供給することを特徴とする請求項４〜６いずれか記載の輝度レベル制御方法。
【請求項１２】
前記輝度レベル制御処理は、輝度レベル検出対象層以外の層には黒信号を供給することを特徴とする請求項７〜９いずれか記載のプログラム。
【発明の詳細な説明】
【０００１】
【発明の属する技術分野】
本発明は液晶プロジェクタ及びその制御方法並びにプログラムに関し、特に映像信号を複数層に分割して各層毎にレベル制御を行ってスクリーンへの投射画像とするようにした液晶プロジェクタにおけるレベル制御方式に関するものである。
【０００２】
【従来の技術】
液晶プロジェクタは、映像信号を液晶表示素子により映像に変換して、この映像をスクリーンへ投射して画像表示するものである。この場合、液晶表示素子が映像信号を映像に変換する際の変換速度が遅いために、それを補う方式として、映像信号を並列信号として複数層に展開処理する、いわゆる層展開方式による液晶駆動方式が採用されている。
【０００３】
例えば、図２は層展開（ｎ＝６）の液晶パネル使用時の映像信号の模式図であり、ある映像信号領域１０の部分を、第１層１１から第６層１６までの６層に分割展開して並列信号として、液晶パネルを駆動するものである。図５はこの様な層展開方式における液晶駆動信号のレベル処理をなす場合のレベル制御回路の例を示している。図５において、第ｉ層（ｉ＝１〜ｎ）のディジタル映像信号はゲインコントロール自在なアンプ５ｉを介してＤ／Ａ（ディジタル／アナログ）変換器６ｉへ入力され、アナログ信号となって液晶パネルの駆動信号となる。
【０００４】
この様な方式の液晶プロジェクタにおいては、各層間のレベルの相違による縦線が生じて画質が著しく低下して目障りとなる。そこで、その補正方法として、アンプ５ｉのゲインを調整して各層のレベル合せを行うことにより、縦線の問題を解決するようになっており、工場における調整段階では、作業者が目視によりアンプ５ｉの各ゲインを手動にて調整するのが現状となっている。
【０００５】
【発明が解決しようとする課題】
従来のレベル調整方法は、作業者の目視による手動調整であるために、熟練を要すると共に、作業工数の増大を招来する。そのために、工場にてレベル調整を行う場合、自動化されたシステムが要求されることになる。
【０００６】
本発明の目的は、映像信号を複数層に分割して液晶表示素子へ印加する様にした層展開方式の液晶プロジェクタにおいて、縦線問題を自動的に解決し得るようにしたレベル制御方式を提供することである。
【０００７】
【課題を解決するための手段】
本発明による液晶プロジェクタは、映像信号を複数層に分割して各層毎に輝度レベル制御を行ってスクリーンへの投射画像とするようにした液晶プロジェクタであって、前記複数層の前記スクリーン前面での各輝度レベルを検出する輝度レベル検出手段と、前記複数層のうち予め定められた基準層の、前記輝度レベル検出手段により検出された輝度レベルに、他の層の、前記輝度レベル検出手段により検出された輝度レベルを自動的に調整する輝度レベル制御手段とを含むことを特徴とする。
【０００８】
そして、前記輝度レベル制御手段は、前記基準層の前記輝度レベル検出手段による検出結果と前記他の層の前記輝度レベル検出手段による各層の検出結果とを比較して、これら比較結果に従って前記各層の輝度レベル制御をなす手段を有することを特徴とする。また、前記基準層の輝度レベルは予め定められた輝度レベルであることを特徴とする。
【０００９】
本発明による輝度レベル制御方法は、映像信号を複数層に分割して各層毎に輝度レベル制御を行ってスクリーンへの投射画像とするようにした液晶プロジェクタにおける輝度レベル制御方法であって、前記複数層の前記スクリーン前面での各輝度レベルを検出する輝度レベル検出ステップと、前記複数層のうち予め定められた基準層の、前記輝度レベル検出ステップにより検出された輝度レベルに、他の層の、前記輝度レベル検出ステップにより検出された輝度レベルを自動的に調整する輝度レベル制御ステップとを含むことを特徴とする。
【００１０】
そして、前記輝度レベル制御ステップは、前記基準層の前記輝度レベル検出ステップによる検出結果と前記他の層の前記輝度レベル検出ステップによる各層の検出結果とを比較して、これら比較結果に従って前記各層の輝度レベル制御をなすステップを有することを特徴とする。また、前記基準層の輝度レベルは予め定められた輝度レベルであることを特徴とする。
【００１１】
本発明によるプログラムは、映像信号を複数層に分割して各層毎に輝度レベル制御を行ってスクリーンへの投射画像とするようにした液晶プロジェクタにおける輝度レベル制御方法をコンピュータに実行させるためのプログラムであって、前記複数層の前記スクリーン前面での各輝度レベルを検出する輝度レベル検出処理と、前記複数層のうち予め定められた基準層の、前記輝度レベル検出処理により検出された輝度レベルに、他の層の、前記輝度レベル検出処理により検出された輝度レベルを自動的に調整する輝度レベル制御処理とを含むことを特徴とする。
【００１２】
本発明の作用を述べる。映像信号を複数層に層展開して並列信号としつつ液晶表示素子へ供給する様にした液晶プロジェクタにおいて、複数層のうちのある層を基準層とし、この基準層のレベルを基に、他の各層のレベル制御を自動的に行うようにする。これにより、工場における調整段階で、熟練した作業者を必要とすることなく、簡単にかつ確実に縦線の問題を解決できることになる。
【００１３】
【発明の実施の形態】
以下に、図面を用いて本発明の実施例を説明する。図１は本発明の実施例のシステム概略図であり、液晶プロジェクタ１による画像をスクリーン２へ投射し、スクリーン２の前面に設置されているフォトディテクタ３により、その輝度レベルを検出する。このフォトディテクタ３による検出出力は、制御部であるＰＣ（パーソナルコンピュータ）４へ入力されて処理され、各層のレベル制御用信号が生成される。このレベル制御用信号はプロジェクタ１へフィードバックされて、各層のレベル制御が自動的に行われるものである。
【００１４】
プロジェクタ１の内部における映像信号の各層のレベル制御は、図５に示した回路が用いられることにより行われる。すなわち、制御部であるＰＣ４からの各層のレベル制御用信号が、ゲインコントロール自在なアンプ５ｉのゲインコントロール信号として用いられるようになっているものとする。
【００１５】
図３は図１に示したＰＣ４の動作の概略を示すフローチャートである。まず、第１層〜第ｎ層のうち基準となる層を、本例では第１層目とし、この第１層目の映像信号として輝度を５０％レベルに設定する（ステップＳ１）。このときの第１層の輝度レベル（Ｙ１）をフォトディテクタ３により検出して取得する（ステップＳ２）。この取得したフォトディテクタ検出出力はレベル調整のための基準レベルとなるために、図示せぬメモリに記憶しておく。
【００１６】
次に、第２層目の輝度補正を行うのであるが、そのために、第２層目以外の層には黒信号を供給して（ステップＳ３）、このときの第２層目の輝度レベルをフォトディテクタ３により検出して取得し第２層目の輝度補正を行う（ステップＳ４）。次は第３層目の輝度補正を行うのであるが（ステップＳ６）、そのために、第３層目以外の層には黒信号を供給し（ステップＳ５）、ステップＳ６の処理が行われる。
【００１７】
以後、第４層目から第ｎ層目まで、順次上述と同様な処理を繰返すことにより（ステップＳ７，Ｓ８）、全ての層の輝度レベル補正が完了し、基準層である第１層の輝度レベルに全ての層が一致する補正がなされる。
【００１８】
図４は基準層である第１層を除く各ｉ層（ｉ＝２〜ｎ）の輝度補正処理（ステップＳ４，Ｓ６，Ｓ８）の詳細を示すフローチャートである。先ず、ｉ層目の輝度Ｙｉをフォトディテクタ３の検出出力により得て（ステップＳ１１）、このＹｉと基準層の輝度Ｙ１（メモリに記憶されている）とを比較する（ステップＳ１２）。比較の結果Ｙ１＞Ｙｉであれば、第ｉ層に対応するアンプ５ｉのゲインが１ステップ上昇するように、ゲインコントロール信号をインクリメントする（ステップＳ１３）。
【００１９】
Ｙ１＜Ｙｉであれば、アンプ５ｉのゲインが１ステップ下降するように、ゲインコントロール信号をディクリメントする（ステップＳ１４）。この処理をＹ１＝Ｙｉになるまでくり返すのである。
【００２０】
こうすることにより、各層の輝度レベルは基準層（本例では第１層）の輝度レベルに自動的に一致して上述した各層間の縦線の問題は解決することが判る。
【００２１】
各補正処理（ステップＳ４，Ｓ６，Ｓ８）において得られたアンプ５ｉのゲインコントロール信号のデータは、プロジェクタ１内において、個別設定値として記憶されることは勿論である。
【００２２】
本実施例においては、基準層を第１層としたがこれに限定されるものではなく、任意に基準層を選定できる。また、基準層の輝度レベルや、他層の輝度レベルも適宜設定することができることは勿論である。
【００２３】
なお、図３，４に示した動作フローは、図１におけるＰＣ（制御部）４において、プログラムとして記録媒体に予め格納したものを読取ってこれを実行させることにより、容易に実現することができることは明らかである。
【００２４】
【発明の効果】
以上述べた如く、本発明によれば、自動的に層間の縦線を補正するようにしたので、工場調整時において、作業者が目視で手作業にて行っていたのを排除することができ、精度の向上、工数削減及び時間短縮が可能であるという効果がある。
【図面の簡単な説明】
【図１】本発明の実施例のシステム構成図である。
【図２】６層展開の場合の液晶パネル使用時における映像信号模式図である。
【図３】本発明の実施例の動作を示すフローチャートである。
【図４】図３のフローチャートの一部詳細を示す図である。
【図５】各層に対応するレベル調整回路の例を示す図である。
【符号の説明】
１          プロジェクタ
２          スクリーン
３          フォトディテクタ
４          ＰＣ（制御部）
５１〜５ｎ  アンプ
６１〜６ｎ  Ｄ／Ａ変換器
【図１】
0003667702.tif 000002
【図２】
0003667702.tif 000003
【図３】
0003667702.tif 000004
【図４】
0003667702.tif 000005
【図５】
0003667702.tif 000006